(57)【特許請求の範囲】
【請求項１】
模倣火炎を有する３Ｄ揺らぎ模倣電子キャンドルライトであって、
固定装置とスイング装置を有し、
前記スイング装置は、前記固定装置上に取り付けられ、
前記スイング装置はスイング部材を有し、前記スイング部材は随意の角度で自由にスイングでき、
前記模倣火炎は、前記スイング部材に固定して連接され、
前記模倣火炎の内部には、第一収納キャビティを有し、
前記第一収納キャビティ内には、発光体が設置され、
前記スイング装置は、動力機構、伝動機構をさらに有し、
前記動力機構は、前記伝動機構を通して、前記スイング部材のスイングを駆動し、
前記３Ｄ揺らぎ模倣電子キャンドルライトは、電池、コントローラーをさらに有し、
前記発光体は、通電後に発光し、前記電池、前記コントローラーと前記発光体は、順番に電気的に連接され、
前記模倣火炎は、光透過性の材質により製造され、
前記コントローラーと前記動力機構のコントロールエンドは、電気的に連接され、
前記固定装置は、その上端に固定されるサポートブロックを有し、
前記サポートブロックの上端は、球形先端で、前記サポートブロックの上端の球形先端は、前記スイング部材の揺らぎ支点で、
前記スイング部材は、揺らぎサポートフレームであり、
前記模倣火炎は、前記揺らぎサポートフレームの上端に固定され、
前記揺らぎサポートフレーム上には、前記サポートブロックの上端と対応する凹槽が設置され、前記凹槽の形状は、弧状凹槽で、前記凹槽と前記サポートブロックの球形先端は、相互に対応し、
前記揺らぎサポートフレームの底部には、第二磁性体を固定し、
前記動力機構は、コントロールエンドが、コントローラーと電気的に連接するモーターで、
前記伝動機構は、前記モーターの動力出力軸と、固定して連接するロータリーハンマーを有し、前記ロータリーハンマーの一端は、前記第二磁性体へと延伸し、且つ前記ロータリーハンマーの延伸端には、第一磁性体を固定し、
前記揺らぎサポートフレームは左右対称の枠形状であり、
前記ロータリーハンマーは、前記揺らぎサポートフレーム内に位置し、且つ前記揺らぎサポートフレームの中心対称軸は、前記ロータリーハンマーの延伸端を通過する
ことを特徴とする３Ｄ揺らぎ模倣電子キャンドルライト。
【請求項２】
前記固定装置は、蓋体、筒体、サポート台をさらに有し、
前記筒体の上端と前記サポート台とは、固定して連接し、前記サポート台は、上方へと延伸し前記筒体の上端面に出た後、前記蓋体と固定して連接し、前記モーターと前記ロータリーハンマーとは、前記蓋体内に取り付けられることを特徴とする請求項１に記載の３Ｄ揺らぎ模倣電子キャンドルライト。
【請求項３】
前記筒体の内部の囲まれた空間には、下から上へと順番にプラス／マイナス電池片、電池設置槽、電池プラス／マイナスＰＣＢボードを取り付け、
前記電池設置槽の上端と下端には、それぞれ導電通孔を設置し、
前記プラス／マイナス電池片上の端子と前記電池プラス／マイナスＰＣＢボード上の端子とは、それぞれ前記導電通孔を通過し、給電回路を形成し、
前記筒体上には、前記電池を出し入れする電池孔を設置し、
前記電池孔上には、電池蓋を設置することを特徴とする請求項２に記載の３Ｄ揺らぎ模倣電子キャンドルライト。
【請求項４】
前記３Ｄ揺らぎ模倣電子キャンドルライトは、カバー体をさらに有し、
前記カバー体は、固定装置とスイング装置の外部を覆って設置し、
前記カバー体の上端には、通孔を設置し、前記模倣火炎は、前記通孔を通って出ることを特徴とする請求項１〜３の任意の一項に記載の３Ｄ揺らぎ模倣電子キャンドルライト。
【請求項５】
前記発光体と主制御ＰＣＢボードは、金メッキファイバーケーブルを通して電気的に連接し、或いは銀メッキファイバーケーブルを通して電気的に連接することを特徴とする請求項３に記載の３Ｄ揺らぎ模倣電子キャンドルライト。
【発明の詳細な説明】
【技術分野】
【０００１】
本発明は電子キャンドルライト製品に関し、特に３Ｄ揺らぎ模倣電子キャンドルライトに関する。
【背景技術】
【０００２】
周知のように、キャンドルはよく見られる生活用品である。
けれども、伝統的なロウソクは汚染がひどく、安全に対する心配等の問題がある。
これら問題を解決するため、電子キャンドルが開発された。
電子キャンドルは、環境に優しく安全性が高いという長所を備える。
【０００３】
しかし、従来の電子キャンドルは、キャンドルの発光を模倣できるだけであるため、リアルなロウソクが持つ火炎のゆらぎ等を再現することはできないため、電子キャンドルのディスプレイ効果は劣り、観賞性は高くない。
【発明の概要】
【発明が解決しようとする課題】
【０００４】
前記先行技術には、リアルなロウソクが持つ火炎のゆらぎ等を再現することができないため、ディスプレイ効果が劣り、観賞性が低い欠点がある。
【課題を解決するための手段】
【０００５】
本発明は従来の技術に存在する不足を補うことができる３Ｄ揺らぎ模倣電子キャンドルライトに関する。
【０００６】
本発明による３Ｄ揺らぎ模倣電子キャンドルライトは、固定装置とスイング装置を有する。
該スイング装置は、該固定装置上に取り付け、該スイング装置は、任意の縦方向内で随意の角度で自由にスイングでき、該スイング装置上には、模倣火炎を固定する。
【０００７】
本発明による３Ｄ揺らぎ模倣電子キャンドルライトは、上記した技術方案の基礎の下、該スイング装置は、動力機構、伝動機構、スイング部材を有する。
該模倣火炎と該スイング部材とは、固定して連接し、該動力機構は、該伝動機構を通して、該スイング部材のスイングを駆動する。
【０００８】
本発明による３Ｄ揺らぎ模倣電子キャンドルライトは、上記した技術方案の基礎の下、本発明は、電池、コントローラー、発光体をさらに有する。
該模倣火炎の内部には、第一収納キャビティを有する。
該発光体は、該第一収納キャビティ内に設置し、通電後に発光する発光体を有し、該電池、該コントローラーと該発光体は、順番に電気的に連接する。
該模倣火炎は、光透過性の材質により製造し、該コントローラーと該動力機構のコントロールエンド電気的に連接する。
【０００９】
本発明による３Ｄ揺らぎ模倣電子キャンドルライトは、上記した技術方案の基礎の下、該固定装置は、固定装置の上端に固定するサポートブロックを有する。
該サポートブロックの上端は、球形先端で、該サポートブロックの上端の形状は、スイング装置の揺らぎ支点である。
該スイング装置は、揺らぎサポートフレームを有する。
該模倣火炎は、揺らぎサポートフレームの上端に固定する。
該揺らぎサポートフレーム上には、該サポートブロックの上端と対応する凹槽を設置し、該凹槽の形状は、弧状凹槽で、該凹槽と該サポートブロックの球形先端は、相互に対応する。
【００１０】
本発明による３Ｄ揺らぎ模倣電子キャンドルライトは、上記した技術方案の基礎の下、該揺らぎサポートフレームの底部には、第一磁性体を固定する。
該動力機構は、コントロールエンドが、コントローラーと電気的に連接するモーターである。
該伝動機構は、該モーターの動力出力軸と、固定して連接するロータリーハンマーを有する。
該ロータリーハンマーの一端は、第一磁性体へと延伸し、しかも該ロータリーハンマーの延伸端には、第二磁性体を固定する。
【００１１】
本発明による３Ｄ揺らぎ模倣電子キャンドルライトは、上記した技術方案の基礎の下、該固定装置は、蓋体を有する。
該筒体の上端と該サポート台とは、固定して連接し、該サポート台は上方へと延伸し該筒体の上端面に出た後、該蓋体と固定して連接し、該モーターと該ロータリーハンマーとは、該蓋体内に取り付けられる。
【００１２】
本発明による３Ｄ揺らぎ模倣電子キャンドルライトは、上記した技術方案の基礎の下、該底台の内部の囲まれた空間には、下から上へと順番にプラス／マイナス電池片、電池設置槽、電池プラス／マイナスＰＣＢボードを取り付ける。
該電池設置槽の上端と下端には、それぞれ導電通孔を設置する。
該プラス／マイナス電池片上の端子と該電池プラス／マイナスＰＣＢボード上の端子とは、それぞれ該導電通孔を通過し、給電回路を形成する。
該底台上には、該電池を出し入れする電池孔を設置し、該電池孔上には、電池蓋を設置する。
【００１３】
本発明による３Ｄ揺らぎ模倣電子キャンドルライトは、上記した技術方案の基礎の下、該発光体と該主制御ＰＣＢボードは、金メッキファイバーケーブルを通して電気的に連接し、或いは銀メッキファイバーケーブルを通して電気的に連接する。
【００１４】
本発明による３Ｄ揺らぎ模倣電子キャンドルライトは、上述の任意の一種の技術方案の基礎の下、カバー体をさらに有する。
該カバー体は、該固定装置と該スイング装置の外部を覆って設置する。
該カバー体の上端には、通孔を設置し、該模倣火炎は、該通孔を通って出る。
【００１５】
本発明による３Ｄ揺らぎ模倣電子キャンドルライトの効果は、スイング装置上に模倣火炎を固定し、スイング装置を固定装置上に取り付け、模倣火炎はスイング装置に従い任意の縦方向内で随意の角度で自由にスイングでき、こうして本当のキャンドルの炎が風に揺れる様子を模倣する効果を達成することができる。
【図面の簡単な説明】
【００１６】
【図１】本発明の分解図である。
【図２】本発明の立体構造モード図である。
【図３】本発明の作動原理図である。
【図４】本発明の局部断面図である。
【図５】図４中エリアＡの局部拡大図である。
【図６】本発明のもう一つの状態の分解図である。
【発明を実施するための形態】
【００１７】
（一実施形態）
本発明の目的、特徴、効果が分かるよう、以下に実施形態と図を用い本発明の構想、具体的な構造、技術について開示する。
実施形態は本発明の一実施形態に過ぎず、本発明の実施形態に基づき、本領域の技術人員が創造的労働の前提の下、獲得した他の実施形態も全て本発明の保護範囲に含むものとする。
【００１８】
明細書で開示するすべての連接関係は、構成部材の直接接続のみを指すのではなく、具体的な実施状況に基づき、連接部材を追加或いは減らすことにより、より優れた連接構造を構成することをも含む。
本発明構造における各技術特徴は、相互に矛盾衝突しないとの前提の下、入れ替えて組合せることができる。
【００１９】
３Ｄ揺らぎ模倣電子キャンドルライトは、図１〜図６に示す通り、固定装置とスイング装置を有する。
スイング装置は、固定装置上に取り付け、スイング装置上には、模倣火炎１を固定する。
スイング装置上に、模倣火炎１を固定することで、模倣火炎１はスイング装置に従い任意の縦方向内で随意の角度で自由にスイングでき、こうしてキャンドルの火炎のゆらぎを模倣する効果を備える。
【００２０】
上記した技術方案の基礎の下、スイング装置は、動力機構、伝動機構、スイング部材を有する。
模倣火炎１とスイング部材とは、固定して連接し、動力機構は、伝動機構により、スイング部材のスイングを駆動する。
【００２１】
上記した技術方案の基礎の下、本発明は、電池、コントローラー、発光体２をさらに有する。
模倣火炎１の内部には、第一収納キャビティを有する。
発光体２は、通電後に発光し、第一収納キャビティ内に設置する。
電池、コントローラーと発光体２は、順番に電気的に連接し、発光体２は発光する。
模倣火炎１は、光透過性の材質により製造し、これにより発光体２の光線は模倣火炎１を通して人が目で見ることができる。
こうして、環境照明が不十分な情況下でも、人は模倣火炎１を目で見ることができる。
また、発光体２が発する光線の色は変えることができ、発光体２は、ＬＥＤランプを選択する。
コントローラーと動力機構のコントロールエンドとは電気的に連接し、コントローラーを通して動力機構の動力出力モードをコントロールする。
動力を継続して出力すると、模倣火炎１は、同一幅のスイングを呈し、間歇的に動力を出力すると、模倣火炎１は異なる幅のスイングを呈する。
【００２２】
コントローラーは、筒体１２内部に取り付ける主制御ＰＣＢボード１４、筒体１２外部に取り付けるトグルスイッチ１５を有する。
しかも、トグルスイッチ１５は、主制御ＰＣＢボード１４上に取り付け、トグルスイッチ１５を通して、給電回路の給電をコントロールする。
【００２３】
上記した技術方案の基礎の下、固定装置は、固定装置の上端に固定するサポートブロック４を有する。
サポートブロック４の上端は、球形先端で、サポートブロックの上端の形状は、スイング装置の揺らぎ支点である。
スイング装置は、揺らぎサポートフレーム３を有する。
模倣火炎１は、揺らぎサポートフレーム３の上端に固定する。
揺らぎサポートフレーム３上には、サポートブロック４の上端と対応する弧状凹槽を設置する。
サポートブロック４の球形先端と弧状凹槽とは対応し、これにより揺らぎサポートフレーム３は球形先端に対して自由にスイングすることができる（図３中矢印Ａ-Ａが示す方向参照）。
同時に、揺らぎサポートフレーム３が球形先端に対して自由にスイングできる（図３中矢印Ｂ-Ｂが示す方向参照）ため、模倣火炎１は揺らぎサポートフレーム３に従い一緒に自由にスイングでき、本当のキャンドルが燃焼時に風に揺れるようなリアルさを達成することができる。
【００２４】
上記した技術方案の基礎の下、揺らぎサポートフレーム３の底部には、第一磁性体６を固定する。
動力機構は、コントロールエンドが、コントローラーと電気的に連接するモーター８である。
伝動機構は、モーター８の動力出力軸と、固定して連接するロータリーハンマー５を有する。
ロータリーハンマー５の一端は、第一磁性体６へと延伸し、しかもロータリーハンマー５の延伸端には、第二磁性体７を固定する。
モーター８は、ロータリーハンマー５の回転を連動し、ロータリーハンマー５の回転に従い、第一磁性体６と第二磁性体７とは、相互に接近、或いは離れる。
こうして、第二磁性体７は、第一磁性体６の磁吸引力（第一磁性体６と第二磁性体７の互いに向かい合う表面の磁極が異なる時）或いは磁反発力（第一磁性体６と第二磁性体７の互いに向かい合う表面の磁極が相同である時）の変化を受け、第二磁性体７は第一磁性体６の力を受ける。
これにより、第二磁性体７はスイングサポートフレームを連動してスイングを生じさせる。
磁石の方式を通して、揺らぎサポートフレーム３はロータリーハンマー５の回転に従い、それに応じてスイングを生じる。
【００２５】
揺らぎサポートフレーム３の形状は枠型で、重量を軽減し、しかも揺らぎサポートフレーム３の両側は、揺らぎの間の中心対称軸の両側に対称に設置する。
これにより、揺らぎサポートフレーム３のバランスを保持し、復位させる。
ロータリーハンマー５は、揺らぎサポートフレーム３内に位置し、しかも揺らぎサポートフレーム３の中心対称軸は、ロータリーハンマー５の延伸端を通過する。
ロータリーハンマー５の延伸端が回転し、第二磁性体７との距離が最近の位置にある時、二つの磁性体の間の作用力は最大となる。
【００２６】
固定装置は、蓋体９をさらに有する。
筒体１２の上端とサポート台１１とは固定して連接する。
サポート台１１は上方へとは上方へと延伸し筒体１２の上端面から出た後、蓋体９と固定して連接する。
モーター８とロータリーハンマー５は、蓋体１２内に取り付ける。
【００２７】
筒体１２の内部の囲まれた空間には、下から上へと順番にプラス／マイナス電池片１８、電池設置槽１６、電池プラス／マイナスＰＣＢボード１３を取り付ける。
電池設置槽１６の上端と下端には、それぞれ導電通孔を設置する。
プラス／マイナス電池片１８上の端子と電池プラス／マイナスＰＣＢボード１３上の端子とは、導電通孔をそれぞれ貫通し、給電回路を形成する。
底台上には、電池を出し入れする電池孔を設置する。
電池孔上には、電池蓋１９を設置する。
電池設置槽１６を設置することで、電池を電池設置槽１６内に設置し、電池の揺れを防止し、給電回路の給電の安定性を保証する。
電池蓋１９の設置は、電池蓋１９は係合方式で電池孔に設置するため、取り付け、取り外しに便利である。
【００２８】
発光体２と主制御ＰＣＢボード１４は、金メッキファイバーケーブルを通して電気的に連接し、或いは銀メッキファイバーケーブルを通して電気的に連接する。
【００２９】
本発明は、カバー体２０をさらに有する。
カバー体２０は、固定装置とスイング装置の外部を覆って設置する。
カバー体２０の上端には、通孔を設置し、模倣火炎は、通孔を貫通する。
カバー体２０は、固態パラフィン或いはプラスチックにより製造する。
【００３０】
図１と図２に示す通り、本発明は、上から下へのカバー体２０、ランプヘッド装置２１、底台２２を設置する。
ランプヘッド装置２１は、模倣火炎１、蓋体９、蓋体９内部に取り付ける発光体２、揺らぎサポートフレーム３、ロータリーハンマー５、モーター８を有する。
機能モジュールは、発光とスイングを行う。
底台２２は、サポートブロック４、サポート台１１、筒体１２、電池プラス／マイナスＰＣＢボード１３、主制御ＰＣＢボード１４、トグルスイッチ１５、電池設置槽１６、プラス／マイナス電池片１８、電池蓋１９を有する。
モジュールは、本発明にサポートを提供し、モーター８の回転は、エネルギーを提供し、モーター８の回転速度、回転方向を制御する。
こうして、模倣火炎１のスイング幅を制御する。
【００３１】
機能に基づき組み立て、構造が簡単で、生産、メンテナンスは便利である。
上述の設置により、本発明は以下の特徴を備える：
特徴一：揺らぎ方式は点をスイング支点とするため、スイング角度の制限がない。
特徴二：揺らぎ装置の弧状凹槽とサポートブロックの球形先端は相互に対応する。
特徴三：ロータリーハンマー内の磁石は磁性が弱く、揺らぎサポートフレーム内の磁石は磁性が強い。
特徴四：  モーターは間歇式にロータリーハンマーの間歇式回転を連動する。
特徴五：光源の表面を青色のセロファン紙（他の色のセロファン紙とするもできる）で覆い、貼る位置は図５に示す通りで、これにより光源は様々な色の光を発することができる。
特徴六：ＰＣＢボードは火炎の揺らぎ幅と光源の輝度をコントロールできる。
特徴七：発光体と主制御ＰＣＢボードは金（銀）ファイバーケーブルにより電気的に連接する。
【００３２】
前述した本発明の実施形態は本発明を限定するものではなく、よって、本発明により保護される範囲は後述される特許請求の範囲を基準とする。
【符号の説明】
【００３３】
１  模倣火炎
２  発光体
３  揺らぎサポートフレーム
４  サポートブロック
５  ロータリーハンマー
６  第一磁性体
７  第二磁性体
８  モーター
９  蓋体
１１  サポート台
１２  筒体
１３  電池プラス／マイナスＰＣＢボード
１４  主制御ＰＣＢボード
１５  トグルスイッチ
１６  電池設置槽
１８  プラス／マイナス電池片
１９  電池蓋
２０  カバー体
２１  ランプヘッド装置
２２  底台
【図１】
0006271497.tif 000002
【図２】
0006271497.tif 000003
【図３】
0006271497.tif 000004
【図４】
0006271497.tif 000005
【図５】
0006271497.tif 000006
【図６】
0006271497.tif 000007